【手続補正書】
【提出日】令和3年2月25日(2021.2.25)
【手続補正１】
【補正対象書類名】特許請求の範囲
【補正対象項目名】全文
【補正方法】変更
【補正の内容】
【特許請求の範囲】
【請求項１】
複数の表示装置のうち、前記表示装置に設けられたタッチセンサがタッチを検知した場合に、当該タッチセンサが設けられた前記表示装置を、店舗内で検出された処理対象人物が当該店舗内で取得した商品を示す販売管理情報を表示する表示装置として特定する表示装置特定部と、
特定された前記表示装置の前記タッチセンサが前記タッチを検知した場合、当該表示装置に前記販売管理情報を表示するタイミングであると判定する表示タイミング判定部と、
前記表示するタイミングから所定時間後に前記販売管理情報の表示を消去することを前記表示装置に指示する表示制御部と、
を備える店舗装置。
【請求項２】
人物のモーションをセンシングするモーションセンサから得られた情報に基づいて、表示装置に表示を要求するジェスチャを検出し、複数の表示装置のうち、前記ジェスチャによって前記表示が要求された前記表示装置を、店舗内で検出された処理対象人物が当該店舗内で取得した商品を示す販売管理情報を表示する表示装置として特定する表示装置特定部と、
前記モーションセンサから得られた情報に基づいて前記表示装置に表示を要求するジェスチャを検出した場合に、前記ジェスチャによって前記表示が要求された前記特定された前記表示装置に前記販売管理情報を表示するタイミングであると判定する表示タイミング判定部と、
前記表示するタイミングから所定時間後に前記販売管理情報の表示を消去することを前記表示装置に指示する表示制御部と、
を備える店舗装置。
【請求項３】
前記複数の表示装置のいずれかから所定範囲内に位置する人物を、前記処理対象人物として特定する人物特定部と、
を備える請求項１または請求項２に記載の店舗装置。
【請求項４】
前記人物特定部は、前記所定範囲内に位置する人物のうち、前記表示装置に最も近い人物を前記処理対象人物として特定する請求項３に記載の店舗装置。
【請求項５】
前記人物特定部は、前記所定範囲内に位置する人物のうち、前記表示装置が設けられた商品棚に最も近い人物を前記処理対象人物として特定する請求項３に記載の店舗装置。
【請求項６】
前記人物特定部は、撮影装置によって撮影された一人または複数人の前記人物が写る画像から得られた当該人物の特徴情報に基づいて、前記処理対象人物を特定する
請求項３乃至請求項５の何れか一項に記載の店舗装置。
【請求項７】
複数の表示装置のうち、前記表示装置に設けられたタッチセンサがタッチを検知した場合に、当該タッチセンサが設けられた前記表示装置を、店舗内で検出された処理対象人物が当該店舗内で取得した商品を示す販売管理情報を表示する表示装置として特定し、前記特定した前記表示装置の前記タッチセンサが前記タッチを検知した場合、当該表示装置に前記販売管理情報を表示するタイミングであると判定し、前記表示するタイミングから所定時間後に前記販売管理情報の表示を消去することを前記表示装置に指示する店舗装置、
を備える店舗システム。
【請求項８】
人物のモーションをセンシングするモーションセンサから得られた情報に基づいて、表示装置に表示を要求するジェスチャを検出し、複数の表示装置のうち、前記ジェスチャによって前記表示が要求された前記表示装置を、店舗内で検出された処理対象人物が当該店舗内で取得した商品を示す販売管理情報を表示する表示装置を特定し、前記モーションセンサから得られた情報に基づいて前記表示装置に表示を要求するジェスチャを検出した場合に、前記ジェスチャによって前記表示が要求された前記特定された前記表示装置に前記販売管理情報を表示するタイミングであると判定し、前記表示するタイミングから所定時間後に前記販売管理情報の表示を消去することを前記表示装置に指示する店舗装置、
を備える店舗システム。
【請求項９】
複数の表示装置のうち、前記表示装置に設けられたタッチセンサがタッチを検知した場合に、当該タッチセンサが設けられた前記表示装置を、店舗内で検出された処理対象人物が当該店舗内で取得した商品を示す販売管理情報を表示する表示装置として特定し、
特定された前記表示装置の前記タッチセンサが前記タッチを検知した場合、当該表示装置に前記販売管理情報を表示するタイミングであると判定し、
前記表示するタイミングから所定時間後に前記販売管理情報の表示を消去することを前記表示装置に指示する
店舗管理方法。
【請求項１０】
人物のモーションをセンシングするモーションセンサから得られた情報に基づいて、表示装置に表示を要求するジェスチャを検出し、複数の表示装置のうち、前記ジェスチャによって前記表示が要求された前記表示装置を、店舗内で検出された処理対象人物が当該店舗内で取得した商品を示す販売管理情報を表示する表示装置として特定し、
前記モーションセンサから得られた情報に基づいて前記表示装置に表示を要求するジェスチャを検出した場合に、前記ジェスチャによって前記表示が要求された前記特定された前記表示装置に前記販売管理情報を表示するタイミングであると判定し、
前記表示するタイミングから所定時間後に前記販売管理情報の表示を消去することを前記表示装置に指示する
店舗管理方法。
【請求項１１】
店舗装置のコンピュータに、
複数の表示装置のうち、前記表示装置に設けられたタッチセンサがタッチを検知した場合に、当該タッチセンサが設けられた前記表示装置を、店舗内で検出された処理対象人物が当該店舗内で取得した商品を示す販売管理情報を表示する表示装置として特定し、
特定された前記表示装置の前記タッチセンサが前記タッチを検知した場合、当該表示装置に前記販売管理情報を表示するタイミングであると判定し、
前記表示するタイミングから所定時間後に前記販売管理情報の表示を消去することを前記表示装置に指示する、
処理を実行させるプログラム。
【請求項１２】
店舗装置のコンピュータに、
人物のモーションをセンシングするモーションセンサから得られた情報に基づいて、表示装置に表示を要求するジェスチャを検出し、複数の表示装置のうち、前記ジェスチャによって前記表示が要求された前記表示装置を、店舗内で検出された処理対象人物が当該店舗内で取得した商品を示す販売管理情報を表示する表示装置として特定し、
前記モーションセンサから得られた情報に基づいて前記表示装置に表示を要求するジェスチャを検出した場合に、前記ジェスチャによって前記表示が要求された前記特定された前記表示装置に前記販売管理情報を表示するタイミングであると判定し、
前記表示するタイミングから所定時間後に前記販売管理情報の表示を消去することを前記表示装置に指示する、
処理を実行させるプログラム。
【手続補正２】
【補正対象書類名】明細書
【補正対象項目名】０００６
【補正方法】変更
【補正の内容】
【０００６】
本発明の第１の態様によれば、店舗装置は、複数の表示装置のうち、前記表示装置に設けられたタッチセンサがタッチを検知した場合に、当該タッチセンサが設けられた前記表示装置を、店舗内で検出された処理対象人物が当該店舗内で取得した商品を示す販売管理情報を表示する表示装置として特定する表示装置特定部と、特定された前記表示装置の前記タッチセンサが前記タッチを検知した場合、当該表示装置に前記販売管理情報を表示するタイミングであると判定する表示タイミング判定部と、前記表示するタイミングから所定時間後に前記販売管理情報の表示を消去することを前記表示装置に指示する表示制御部と、を備える。
また店舗装置は、人物のモーションをセンシングするモーションセンサから得られた情報に基づいて、表示装置に表示を要求するジェスチャを検出し、複数の表示装置のうち、前記ジェスチャによって前記表示が要求された前記表示装置を、店舗内で検出された処理対象人物が当該店舗内で取得した商品を示す販売管理情報を表示する表示装置として特定する表示装置特定部と、前記モーションセンサから得られた情報に基づいて前記表示装置に表示を要求するジェスチャを検出した場合に、前記ジェスチャによって前記表示が要求された前記特定された前記表示装置に前記販売管理情報を表示するタイミングであると判定する表示タイミング判定部と、前記表示するタイミングから所定時間後に前記販売管理情報の表示を消去することを前記表示装置に指示する表示制御部と、を備える。
【手続補正３】
【補正対象書類名】明細書
【補正対象項目名】０００７
【補正方法】変更
【補正の内容】
【０００７】
本発明の第２の態様によれば、店舗管理システムは、複数の表示装置のうち、前記表示装置に設けられたタッチセンサがタッチを検知した場合に、当該タッチセンサが設けられた前記表示装置を、店舗内で検出された処理対象人物が当該店舗内で取得した商品を示す販売管理情報を表示する表示装置として特定し、前記特定した前記表示装置の前記タッチセンサが前記タッチを検知した場合、当該表示装置に前記販売管理情報を表示するタイミングであると判定し、前記表示するタイミングから所定時間後に前記販売管理情報の表示を消去することを前記表示装置に指示する店舗装置、を備える。
また店舗管理システムは、人物のモーションをセンシングするモーションセンサから得られた情報に基づいて、表示装置に表示を要求するジェスチャを検出し、複数の表示装置のうち、前記ジェスチャによって前記表示が要求された前記表示装置を、店舗内で検出された処理対象人物が当該店舗内で取得した商品を示す販売管理情報を表示する表示装置を特定し、前記モーションセンサから得られた情報に基づいて前記表示装置に表示を要求するジェスチャを検出した場合に、前記ジェスチャによって前記表示が要求された前記特定された前記表示装置に前記販売管理情報を表示するタイミングであると判定し、前記表示するタイミングから所定時間後に前記販売管理情報の表示を消去することを前記表示装置に指示する店舗装置、を備える。
【手続補正４】
【補正対象書類名】明細書
【補正対象項目名】０００８
【補正方法】変更
【補正の内容】
【０００８】
本発明の第３の態様によれば、店舗管理方法は、複数の表示装置のうち、前記表示装置に設けられたタッチセンサがタッチを検知した場合に、当該タッチセンサが設けられた前記表示装置を、店舗内で検出された処理対象人物が当該店舗内で取得した商品を示す販売管理情報を表示する表示装置として特定し、特定された前記表示装置の前記タッチセンサが前記タッチを検知した場合、当該表示装置に前記販売管理情報を表示するタイミングであると判定し、前記表示するタイミングから所定時間後に前記販売管理情報の表示を消去することを前記表示装置に指示する。
また店舗管理方法は、人物のモーションをセンシングするモーションセンサから得られた情報に基づいて、表示装置に表示を要求するジェスチャを検出し、複数の表示装置のうち、前記ジェスチャによって前記表示が要求された前記表示装置を、店舗内で検出された処理対象人物が当該店舗内で取得した商品を示す販売管理情報を表示する表示装置として特定し、前記モーションセンサから得られた情報に基づいて前記表示装置に表示を要求するジェスチャを検出した場合に、前記ジェスチャによって前記表示が要求された前記特定された前記表示装置に前記販売管理情報を表示するタイミングであると判定し、前記表示するタイミングから所定時間後に前記販売管理情報の表示を消去することを前記表示装置に指示する。
【手続補正５】
【補正対象書類名】明細書
【補正対象項目名】０００９
【補正方法】変更
【補正の内容】
【０００９】
本発明の第４の態様によれば、プログラムは、店舗装置のコンピュータに、複数の表示装置のうち、前記表示装置に設けられたタッチセンサがタッチを検知した場合に、当該タッチセンサが設けられた前記表示装置を、店舗内で検出された処理対象人物が当該店舗内で取得した商品を示す販売管理情報を表示する表示装置として特定し、特定された前記表示装置の前記タッチセンサが前記タッチを検知した場合、当該表示装置に前記販売管理情報を表示するタイミングであると判定し、前記表示するタイミングから所定時間後に前記販売管理情報の表示を消去することを前記表示装置に指示する、処理を実行させる。
またプログラムは、店舗装置のコンピュータに、人物のモーションをセンシングするモーションセンサから得られた情報に基づいて、表示装置に表示を要求するジェスチャを検出し、複数の表示装置のうち、前記ジェスチャによって前記表示が要求された前記表示装置を、店舗内で検出された処理対象人物が当該店舗内で取得した商品を示す販売管理情報を表示する表示装置として特定し、前記モーションセンサから得られた情報に基づいて前記表示装置に表示を要求するジェスチャを検出した場合に、前記ジェスチャによって前記表示が要求された前記特定された前記表示装置に前記販売管理情報を表示するタイミングであると判定し、前記表示するタイミングから所定時間後に前記販売管理情報の表示を消去することを前記表示装置に指示する、処理を実行させる。